(57)【要約】【課題】  高画質な受信画像をモニタに表示することが可能な遠隔ユニットを提供する。【解決手段】  サーバ３０と接続し、サーバ３０から送信された画像信号をディスプレイ４０に表示する遠隔ユニットとしての受信装置２０であって、ＬＡＮケーブル１００を介して伝送される信号を受信すると共に、該信号に対するゲインを調整するレシーバ２１と、ＬＡＮケーブル１００を介して受信した自動調整用信号の受信電圧を検出する測定回路２２と、受信電圧に基づいてＬＡＮケーブル長を測定し、レシーバ２１のゲインを調整するＭＰＵ２５とを有する構成としている。このため、使用するＬＡＮケーブル１００のケーブル長に応じてレシーバ２１のゲインを最適に調整することができる。従って、高画質な受信画像をモニタに表示することが可能となる。【選択図】        図２
2006180443.tif 000002
【特許請求の範囲】
【請求項１】
サーバとケーブルで接続し、該サーバから送信された画像信号を受信してモニタに表示する遠隔ユニットであって、
前記ケーブルを介して伝送された信号の受信と、該信号に対するゲインの調整とを行なう受信手段と、
ゲイン調整用の自動調整用信号を受信し、該信号の受信電圧を検出する電圧検出手段と、
前記受信電圧により前記ケーブルの長さを求め、該求めた長さにより前記受信手段の前記ゲインを調整する制御手段とを有することを特徴とする遠隔ユニット。
【請求項２】
サーバとケーブルで接続し、該サーバから送信された画像信号を受信してモニタに表示する遠隔ユニットであって、
前記ケーブルを介して伝送された信号の受信と、受信信号の周波数特性の調整とを行なう受信手段と、
周波数特性調整用の自動調整用信号を受信し、該信号の受信電圧を検出する電圧検出手段と、
前記受信電圧により前記ケーブルの長さを求め、該求めた長さに基づいて前記受信手段を制御し、所望の前記周波数特性を得る制御手段とを有することを特徴とする遠隔ユニット。
【請求項３】
サーバとケーブルで接続し、該サーバから送信された画像信号を受信してモニタに表示する遠隔ユニットであって、
前記ケーブルに含まれる複数の信号線の信号を受信する受信手段と、
前記複数の信号線の信号間の遅延時間を測定する遅延時間測定手段と、
前記遅延時間に応じて、対応する信号を遅延させて出力する信号遅延手段とを有することを特徴とする遠隔ユニット。
【請求項４】
前記受信手段は、信号の周波数特性を調整する機能を具備し、
前記制御手段は、前記受信電圧により前記ケーブルの長さを求め、該求めた長さに基づいて前記受信手段を制御し、所望の前記周波数特性を得ることを特徴とする請求項１記載の遠隔ユニット。
【請求項５】
前記ケーブルに含まれる複数の信号線の信号間の遅延時間を測定する遅延時間測定手段と、
前記遅延時間に応じて、対応する信号を遅延させて出力する信号遅延手段とを有することを特徴とする請求項１、２、４いずれか１項記載の遠隔ユニット。
【請求項６】
前記制御手段は、前記ケーブル長に応じた前記ゲインの調整値を記録したゲイン調整用テーブルを備えることを特徴とする請求項１記載の遠隔ユニット。
【請求項７】
前記制御手段は、前記受信手段で受信する信号の周波数特性が、前記ケーブル長に応じて最適となるように補正する補正値を記録した周波数特性補正テーブルを備えることを特徴とする請求項２記載の遠隔ユニット。
【請求項８】
前記ケーブルは、複数の信号線を備え、
前記受信手段のゲインの調整を、前記複数の信号線ごとに行なうことを特徴とする請求項１記載の遠隔ユニット。
【請求項９】
前記ケーブルは、複数の信号線を備え、
前記信号の周波数特性の調整を、前記複数の信号線を介して伝送される信号ごとに行なうことを特徴とする請求項２記載の遠隔ユニット。
【請求項１０】
前記画像信号は、Ｒ，Ｇ，Ｂの３つの画像信号を含み、
前記信号遅延手段は、前記３つの画像信号のうちのいずれか１つを基準として、他の２つの信号の遅延時間を調整する、又は前記複数の信号線ごとに遅延素子の挿抜を切り換えて信号の遅延時間を調整することを特徴とすることを特徴とする請求項３又は５記載の遠隔ユニット。
【請求項１１】
サーバから出力された画像信号をケーブルに出力する送信装置と、該送信装置と前記ケーブルで接続し、前記画像信号を受信する受信装置とを備える遠隔システムであって、
前記送信装置は、ゲイン調整用の自動調整用信号を出力する送信手段を有し、
前記受信装置は、前記ケーブルを介して伝送された信号の受信と、該信号に対するゲインの調整とを行なう受信手段と、
受信した前記自動調整用信号の受信電圧を検出する電圧検出手段と、
前記受信電圧により前記ケーブルの長さを求め、該求めた長さにより前記受信手段の前記ゲインを調整する制御手段とを有することを特徴とする遠隔システム。
【請求項１２】
サーバから出力された画像信号をケーブルに出力する送信装置と、該送信装置と前記ケーブルで接続し、前記画像信号を受信する受信装置とを備える遠隔システムであって、
前記送信装置は、前記受信装置側で信号の周波数特性を調整するための自動調整用信号を出力する送信手段を有し、
前記受信装置は、前記ケーブルを介して伝送された信号の受信と、該信号の周波数特性の調整とを行なう受信手段と、
受信した前記自動調整用信号の受信電圧を検出する電圧検出手段と、
前記受信電圧により前記ケーブルの長さを求め、該求めた長さに基づいて前記受信手段を制御し、所望の前記周波数特性を得る制御手段とを有することを特徴とする遠隔システム。
【請求項１３】
サーバから出力された画像信号をケーブルに出力する送信装置と、該送信装置と前記ケーブルで接続し、前記画像信号を受信する受信装置とを備える遠隔システムであって、
前記受信装置は、複数の信号線を介して伝送された信号を受信する受信手段と、
前記複数の信号線の信号間の遅延時間を測定する遅延時間測定手段と、
前記遅延時間に応じて、対応する信号を遅延させて出力する信号遅延手段とを有することを特徴とする遠隔システム。
【請求項１４】
前記受信手段が受信した前記画像信号又は前記自動調整用信号を表示する表示モニタと、
前記ケーブル長に応じた前記ゲインの調整値を記録したゲイン調整用テーブルとを有し、
前記制御手段は、前記表示モニタに前記自動調整用信号を表示中の所定の入力操作によって、前記ゲイン調整用テーブルを書き換えることを特徴とする請求項１１記載の遠隔システム。
【請求項１５】
前記受信手段が受信した前記画像信号又は前記自動調整用信号を表示する表示モニタと、
受信した信号の周波数特性が、前記ケーブル長に応じて最適となるように補正する補正値を記録した周波数特性補正テーブルとを有し、
前記制御手段は、前記表示モニタに前記自動調整用信号を表示中の所定の入力操作によって、前記周波数特性補正テーブルを書き換えることを特徴とする請求項１２記載の遠隔システム。
【請求項１６】
伝送経路の途中に配置され、信号の中継を行なう中継器であって、
前記信号の受信と、該信号に対するゲインの調整とを行なう受信手段と、
ゲイン調整用の自動調整用信号の受信電圧を検出する電圧検出手段と、
前記受信電圧によりケーブルのケーブル長を測定し、該測定したケーブル長に基づいて前記受信手段の前記ゲインを調整する制御手段とを有することを特徴とする中継器。
【請求項１７】
伝送経路の途中に配置され、信号の中継を行なう中継器であって、
前記信号の受信と、該信号の周波数特性の調整とを行なう受信手段と、
周波数特性調整用の自動調整用信号の受信電圧を検出する電圧検出手段と、
前記受信電圧によりケーブルのケーブル長を測定し、該測定したケーブル長に基づいて前記受信手段を制御し、所望の前記周波数特性を得る制御手段とを有することを特徴とする中継器。
【請求項１８】
伝送経路の途中に配置され、信号の中継を行なう中継器であって、
ケーブルに含まれる複数の信号線の信号を受信する受信手段と、
前記複数の信号線間の信号遅延時間を測定する遅延時間測定手段と、
前記信号遅延時間に応じて、対応する信号を遅延させて出力する信号遅延手段とを有することを特徴とする中継器。
【請求項１９】
前記受信手段は、信号の周波数特性を調整する機能を備え、
前記制御手段は、前記受信電圧により前記ケーブル長を測定し、該測定したケーブル長に基づいて前記受信手段を制御し、所望の前記周波数特性を得ることを特徴とする請求項１６記載の中継器。
【請求項２０】
ケーブルに含まれる複数の信号線の信号を受信して、前記複数の信号線間の信号遅延時間を測定する遅延時間測定手段と、
前記信号遅延時間に応じて、対応する信号を遅延させて出力する信号遅延手段とを有することを特徴とする請求項１６、１７、１９のいずれか１項記載の中継器。
【請求項２１】
前記伝送経路の後段側となる装置に、前記自動調整用信号を出力する送信手段を有することを特徴とする請求項１６から２０のいずれか１項記載の中継器。
【請求項２２】
前記制御手段は、測定した前記ケーブル長に応じて、前記ゲインを調整する調整値を記録したゲイン調整用テーブルを備えることを特徴とする請求項１６記載の中継器。
【請求項２３】
前記制御手段は、受信信号の周波数特性が、前記ケーブル長に応じて最適となるように補正する補正値を記録した周波数特性補正テーブルを備えることを特徴とする請求項１７記載の中継器。
【請求項２４】
前記信号は、Ｒ，Ｇ，Ｂの３つの画像信号を含み、
前記信号遅延手段は、前記３つの画像信号のうちのいずれか１つを基準として、他の２つの信号の遅延時間を調整する、又は前記複数の信号線ごとに遅延素子の挿抜を切り換えて信号の遅延時間を調整することを特徴とする請求項１８記載の中継器。
【請求項２５】
請求項１１から１５のいずれか１項記載の遠隔システムと、
前記送信装置と前記受信装置との間の信号の中継を行なう請求項１６から２４のいずれか１項記載の中継器とを有することを特徴とする遠隔システム。
【請求項２６】
前記中継器は、画像信号を供給するサーバ装置を操作するコンソール装置との接続コネクタと、
前記コンソール装置によって入力された操作情報を前記サーバ装置側に送信する送信手段とを有し、
前記送信装置は、前記中継器又は前記受信装置から送信された前記操作情報を前記サーバ装置に送信することを特徴とする請求項２５記載の遠隔システム。
【請求項２７】
ケーブルを介して伝送される自動調整用信号を受信手段で受信するステップと、
前記ケーブルを介して受信した前記自動調整用信号の受信電圧を検出するステップと、
前記受信電圧により前記ケーブルの長さを測定し、該測定した長さに基づいて前記受信手段の前記ゲインを調整するステップとを有することを特徴とする自動調整方法。
【請求項２８】
ケーブルを介して伝送される自動調整用信号を受信手段で受信するステップと、
前記ケーブルを介して受信した前記自動調整用信号の受信電圧を検出するステップと、
前記受信電圧により前記ケーブル長を測定し、該測定したケーブル長に基づいて前記受信手段を制御し、所望の前記周波数特性を得るステップとを有することを特徴とする自動調整方法。
【請求項２９】
複数の信号線を介して伝送された信号を受信するステップと、
前記複数の信号線で伝送された信号間の遅延時間を測定するステップと、
前記遅延時間に応じて、対応する信号を遅延させて出力するステップとを有することを特徴とする自動調整方法。
【発明の詳細な説明】
【技術分野】
【０００１】
本発明は、遠隔ユニット、遠隔システム及び自動調整方法に関し、特に遠隔地に配設されたサーバを、モニタ・キーボード・マウス等により操作することができる遠隔ユニット、遠隔システム、中継器及び自動調整方法に関する。
【背景技術】
【０００２】
近年、遠隔地に設けたサーバ等を数百メートル以上離れたユーザの手元で操作する技術に注目が集まっている。このような技術では、遠隔地にあるサーバとユーザの手元にあるディスプレイ装置及びキーボード等を何らかの手段により接続しなければならない。そこで従来では、サーバとディスプレイ装置との間に中間ノードとなる送信側の遠隔ユニットと受信側の遠隔ユニットとを設け、これらの間をＬＡＮ（Ｌｏｃａｌ  Ａｒｅａ  Ｎｅｔｗｏｒｋ）ケーブルで接続していた。
【０００３】
この様な遠隔ユニットにおいては、ディスプレイに画像を表示するために、ＲＧＢの３種類の画像信号を複数の信号線で送信している。しかしながら、送信側と受信側の遠隔ユニットをつなぐケーブル長が長くなると、Ｒ，Ｇ，Ｂの各ケーブルの長さの違いによって信号にずれが生じる。信号遅延時間のずれは、ディスプレイに表示される文字の色ずれや鮮明度の低下を引き起こす。
【０００４】
特許文献１では、ディジタルアドレス型ディスプレイにおいて、ディジタルビデオ信号と水平同期ディジタル信号と垂直同期ディジタル信号とを各々別々のケーブルで送信し、このケーブル間での遅延量の差を補正するスイッチを設けている。
【０００５】
【特許文献１】実開昭６３−１３３７７７号公報
【発明の開示】
【発明が解決しようとする課題】
【０００６】
しかしながら、送信側と受信側の遠隔ユニットをつなぐケーブル長が長くなると、各信号線の長さの違いにより、画像信号間に遅延（スキュー）が生じると共に、画像信号の減衰が生じる。画像信号の減衰及びスキューによっては文字の鮮明度が低くなり、文字の色ずれが発生する。特に近年のディスプレイ装置は、高解像度化が進められており、画像信号の周波数が高く、ケーブル長が長くなると信号の減衰が著しくなる。また、特許文献１では、スイッチを手動で切り替えて、遅延量を補正する構成であり、手間のかかる処理となる。
【０００７】
本発明は上記事情に鑑みてなされたものであり、高画質な受信画像をモニタに表示することが可能な遠隔ユニット、遠隔システム、中継器及び自動調整方法を提供することを目的とする。
【課題を解決するための手段】
【０００８】
かかる目的を達成するために本発明の遠隔ユニットは、サーバとケーブルで接続し、該サーバから送信された画像信号を受信してモニタに表示する遠隔ユニットであって、前記ケーブルを介して伝送された信号の受信と、該信号に対するゲインの調整とを行なう受信手段と、ゲイン調整用の自動調整用信号を受信し、該信号の受信電圧を検出する電圧検出手段と、前記受信電圧により前記ケーブルの長さを求め、該求めた長さにより前記受信手段の前記ゲインを調整する制御手段とを有する構成としている。従って、使用するケーブルのケーブル長に応じて受信手段のゲインを最適に調整することができる。このため高画質な受信画像をモニタに表示することが可能となる。
【０００９】
本発明の遠隔ユニットは、サーバとケーブルで接続し、該サーバから送信された画像信号を受信してモニタに表示する遠隔ユニットであって、前記ケーブルを介して伝送された信号の受信と、受信信号の周波数特性の調整とを行なう受信手段と、周波数特性調整用の自動調整用信号を受信し、該信号の受信電圧を検出する電圧検出手段と、前記受信電圧により前記ケーブルの長さを求め、該求めた長さに基づいて前記受信手段を制御し、所望の前記周波数特性を得る制御手段とを有する構成としている。従って、使用するケーブルのケーブル長に応じて受信信号の周波数特性を調整することができる。このため高画質な受信画像をモニタに表示することが可能となる。
【００１０】
本発明の遠隔ユニットは、サーバとケーブルで接続し、該サーバから送信された画像信号を受信してモニタに表示する遠隔ユニットであって、前記ケーブルに含まれる複数の信号線の信号を受信する受信手段と、前記複数の信号線の信号間の遅延時間を測定する遅延時間測定手段と、前記遅延時間に応じて、対応する信号を遅延させて出力する信号遅延手段とを有する構成としている。従って、複数の信号線の信号間に生じる遅延時間を補正することができる。このため色ずれなどの生じない高画質な受信画像をモニタに表示することができる。
【００１１】
上記遠隔ユニットにおいて、前記受信手段は、信号の周波数特性を調整する機能を具備し、前記制御手段は、前記受信電圧により前記ケーブルの長さを求め、該求めた長さに基づいて前記受信手段を制御し、所望の前記周波数特性を得るとよい。従って、使用するケーブルのケーブル長に応じて受信信号の周波数特性を調整することができる。このため高画質な画像をモニタに表示することが可能となる。
【００１２】
上記遠隔ユニットにおいて、前記ケーブルに含まれる複数の信号線の信号間の遅延時間を測定する遅延時間測定手段と、前記遅延時間に応じて、対応する信号を遅延させて出力する信号遅延手段とを有しているとよい。従って、複数の信号線の信号間に生じる遅延時間を補正することができる。このため色ずれなどの生じない高画質な受信画像をモニタに表示することができる。
【００１３】
上記遠隔ユニットにおいて、前記制御手段は、前記ケーブル長に応じた前記ゲインの調整値を記録したゲイン調整用テーブルを備えているとよい。従って、ケーブル長に応じてゲインを最適な値に簡単に調整することができる。
【００１４】
上記遠隔ユニットにおいて、前記制御手段は、前記受信手段で受信する信号の周波数特性が、前記ケーブル長に応じて最適となるように補正する補正値を記録した周波数特性補正テーブルを備えているとよい。従って、ケーブル長に応じて受信信号の周波数特性が、最適となるように簡単に調整することができる。
【００１５】
上記遠隔ユニットにおいて、前記ケーブルは、複数の信号線を備え、前記受信手段のゲインの調整を、前記複数の信号線ごとに行なうとよい。信号線ごとに設けた受信手段のゲインを最適に調整することができる。
【００１６】
上記遠隔ユニットにおいて、前記ケーブルは、複数の信号線を備え、前記信号の周波数特性の調整を、前記複数の信号線を介して伝送される信号ごとに行なうとよい。各信号線で受信される信号の周波数特性を最適に調整することができる。
【００１７】
上記遠隔ユニットにおいて、前記画像信号は、Ｒ，Ｇ，Ｂの３つの画像信号を含み、前記信号遅延手段は、前記３つの画像信号のうちのいずれか１つを基準として、他の２つの信号の遅延時間を調整する、又は前記複数の信号線ごとに遅延素子の挿抜を切り換えて信号の遅延時間を調整するとよい。画像信号間の色ずれを防止して、高画質な画像をモニタ表示することができる。
【００１８】
本発明の遠隔システムは、サーバから出力された画像信号をケーブルに出力する送信装置と、該送信装置と前記ケーブルで接続し、前記画像信号を受信する受信装置とを備える遠隔システムであって、前記送信装置は、ゲイン調整用の自動調整用信号を出力する送信手段を有し、前記受信装置は、前記ケーブルを介して伝送された信号の受信と、該信号に対するゲインの調整とを行なう受信手段と、受信した前記自動調整用信号の受信電圧を検出する電圧検出手段と、前記受信電圧により前記ケーブルの長さを求め、該求めた長さにより前記受信手段の前記ゲインを調整する制御手段とを有する構成としている。従って、使用するケーブルのケーブル長に応じて受信手段のゲインを最適に調整することができる。このため高画質な画像をモニタに表示することが可能となる。
【００１９】
本発明の遠隔システムは、サーバから出力された画像信号をケーブルに出力する送信装置と、該送信装置と前記ケーブルで接続し、前記画像信号を受信する受信装置とを備える遠隔システムであって、前記送信装置は、前記受信装置側で信号の周波数特性を調整するための自動調整用信号を出力する送信手段を有し、前記受信装置は、前記ケーブルを介して伝送された信号の受信と、該信号の周波数特性の調整とを行なう受信手段と、受信した前記自動調整用信号の受信電圧を検出する電圧検出手段と、前記受信電圧により前記ケーブルの長さを求め、該求めた長さに基づいて前記受信手段を制御し、所望の前記周波数特性を得る制御手段とを有する構成としている。従って、使用するケーブルのケーブル長に応じて受信信号の周波数特性を調整することができる。このため高画質な画像をモニタに表示することが可能となる。
【００２０】
本発明の遠隔システムは、サーバから出力された画像信号をケーブルに出力する送信装置と、該送信装置と前記ケーブルで接続し、前記画像信号を受信する受信装置とを備える遠隔システムであって、前記受信装置は、複数の信号線を介して伝送された信号を受信する受信手段と、前記複数の信号線の信号間の遅延時間を測定する遅延時間測定手段と、前記遅延時間に応じて、対応する信号を遅延させて出力する信号遅延手段とを有する構成としている。従って、複数の信号線の信号間に生じる遅延時間を補正することができる。このため色ずれなどの生じない高画質な画像をモニタ表示することができる。
【００２１】
上記遠隔システムにおいて、前記受信手段が受信した前記画像信号又は前記自動調整用信号を表示する表示モニタと、前記ケーブル長に応じた前記ゲインの調整値を記録したゲイン調整用テーブルとを有し、前記制御手段は、前記表示モニタに前記自動調整用信号を表示中の所定の入力操作によって、前記ゲイン調整用テーブルを書き換えるとよい。従って、表示モニタに表示された画像を見ながら、受信手段のゲインの調整を行なうことができる。
【００２２】
上記遠隔システムにおいて、前記受信手段が受信した前記画像信号又は前記自動調整用信号を表示する表示モニタと、受信した信号の周波数特性が、前記ケーブル長に応じて最適となるように補正する補正値を記録した周波数特性補正テーブルとを有し、前記制御手段は、前記表示モニタに前記自動調整用信号を表示中の所定の入力操作によって、前記周波数特性補正テーブルを書き換えるとよい。従って、表示モニタに表示された画像を見ながら、受信信号の周波数特性を補正することができる。
【００２３】
本発明の中継器は、伝送経路の途中に配置され、信号の中継を行なう中継器であって、前記信号の受信と、該信号に対するゲインの調整とを行なう受信手段と、ゲイン調整用の自動調整用信号の受信電圧を検出する電圧検出手段と、前記受信電圧によりケーブルのケーブル長を測定し、該測定したケーブル長に基づいて前記受信手段の前記ゲインを調整する制御手段とを有する構成としている。伝送ケーブルのケーブル長に応じて受信手段のゲインを最適に調整することができる。このため、減衰した信号を復元して後段の装置へ中継することで、信号の伝送距離を伸ばすことができる。
【００２４】
本発明の中継器は、伝送経路の途中に配置され、信号の中継を行なう中継器であって、前記信号の受信と、該信号の周波数特性の調整とを行なう受信手段と、周波数特性調整用の自動調整用信号の受信電圧を検出する電圧検出手段と、前記受信電圧によりケーブルのケーブル長を測定し、該測定したケーブル長に基づいて前記受信手段を制御し、所望の前記周波数特性を得る制御手段とを有する構成としている。伝送ケーブルのケーブル長に応じて受信手段の周波数特性を調整することができる。このため、減衰した信号を復元して後段の装置へ中継することで、信号の伝送距離を伸ばすことができる。
【００２５】
本発明の中継器は、伝送経路の途中に配置され、信号の中継を行なう中継器であって、ケーブルに含まれる複数の信号線の信号を受信する受信手段と、前記複数の信号線間の信号遅延時間を測定する遅延時間測定手段と、前記信号遅延時間に応じて、対応する信号を遅延させて出力する信号遅延手段とを有する構成としている。従って、複数の信号線の信号間に生じる遅延時間を補正することができる。このため、信号を長距離伝送しても信号間で色ずれを生じない。
【００２６】
上記構成の中継器において、前記受信手段は、信号の周波数特性を調整する機能を備え、前記制御手段は、前記受信電圧により前記ケーブル長を測定し、該測定したケーブル長に基づいて前記受信手段を制御し、所望の前記周波数特性を得るとよい。従って、伝送ケーブルのケーブル長に応じて受信手段のゲインを最適に調整することができる。
【００２７】
上記構成の中継器において、ケーブルに含まれる複数の信号線の信号を受信して、前記複数の信号線間の信号遅延時間を測定する遅延時間測定手段と、前記信号遅延時間に応じて、対応する信号を遅延させて出力する信号遅延手段とを有しているとよい。従って、複数の信号線の信号間に生じる遅延時間を補正することができる。
【００２８】
上記構成の中継器において、前記伝送経路の後段側の装置に、前記自動調整用信号を出力する送信手段を有しているとよい。従って、後段の装置で自動調整用信号を使用してゲインや周波数特性、スキューを補正することができる。
【００２９】
上記構成の中継器において、前記制御手段は、測定した前記ケーブル長に応じて、前記ゲインを調整する調整値を記録したゲイン調整用テーブルを備えるとよい。従って、ケーブル長に応じてゲインを最適な値に簡単に調整することができる。
【００３０】
上記構成の中継器において、前記制御手段は、受信信号の周波数特性が、前記ケーブル長に応じて最適となるように補正する補正値を記録した周波数特性補正テーブルを備えるとよい。従って、ケーブル長に応じて受信信号の周波数特性が最適となるように簡単に調整することができる。
【００３１】
上記構成の中継器において、前記信号は、Ｒ，Ｇ，Ｂの３つの画像信号を含み、前記信号遅延手段は、前記３つの画像信号のうちのいずれか１つを基準として、他の２つの信号の遅延時間を調整する、又は前記複数の信号線ごとに遅延素子の挿抜を切り換えて信号の遅延時間を調整するとよい。画像信号間の色ずれを防止して、高画質な画像を表示させることができる。
【００３２】
本発明の遠隔システムは、請求項１１から１５のいずれか１項記載の遠隔システムと、前記送信装置と前記受信装置との間の信号の中継を行なう請求項１６から２４のいずれか１項記載の中継器と、を有する構成としている。
伝送信号の劣化を中継器で補正しながら受信装置に送信するので、受信装置側で劣化の少ない最適な信号を受信することができる。
【００３３】
上記遠隔システムにおいて、前記中継器は、画像信号を供給するサーバ装置を操作するコンソール装置との接続コネクタと、前記コンソール装置によって入力された操作情報を前記サーバ装置側に送信する送信手段とを有し、前記送信装置は、前記中継器又は前記受信装置から送信された前記操作情報を前記サーバ装置に送信するとよい。中継器のコンソール装置からサーバ装置を操作することができる。
【００３４】
本発明の自動調整方法は、ケーブルを介して伝送される自動調整用信号を受信手段で受信するステップと、前記ケーブルを介して受信した前記自動調整用信号の受信電圧を検出するステップと、前記受信電圧により前記ケーブルの長さを測定し、該測定した長さに基づいて前記受信手段の前記ゲインを調整するステップとを有している。従って、使用するケーブルのケーブル長に応じて受信手段のゲインを最適に調整することができる。このため高画質な画像をモニタ表示することが可能となる。
【００３５】
本発明の自動調整方法は、ケーブルを介して伝送される自動調整用信号を受信手段で受信するステップと、前記ケーブルを介して受信した前記自動調整用信号の受信電圧を検出するステップと、前記受信電圧により前記ケーブル長を測定し、該測定したケーブル長に基づいて前記受信手段を制御し、所望の前記周波数特性を得るステップとを有している。従って、使用するケーブルのケーブル長に応じて受信信号の周波数特性を調整することができる。このため高画質な画像をモニタ表示することが可能となる。
【００３６】
本発明の自動調整方法は、複数の信号線を介して伝送された信号を受信するステップと、前記複数の信号線で伝送された信号間の遅延時間を測定するステップと、前記遅延時間に応じて、対応する信号を遅延させて出力するステップとを有している。従って、複数の信号線の信号間の遅延時間を測定して信号間の遅延を補正することができる。このため色ずれなどの生じない高画質な画像をモニタ表示することができる。
【発明の効果】
【００３７】
本発明は、高画質な受信画像をモニタに表示することが可能となる。
【発明を実施するための最良の形態】
【００３８】
以下、本発明を実施するための最良の形態を説明する。
【実施例１】
【００３９】
まず、図１を参照しながら遠隔システム１の構成を説明する。図１に示すように、本実施例の遠隔システム１は、サーバ３０とディスプレイ４０及びキーボードやマウス等（以下、キーボード／マウスという）５０との間に、送信装置１０と遠隔ユニットとしての受信装置２０とが設けられた構成を有する。
【００４０】
送信装置１０と受信装置２０とは、ＬＡＮケーブル１００で送受信可能に接続される。これを実現するために、送信装置１０及び受信装置２０には、それぞれネットワークインタフェース（以下、インタフェースをＩ／Ｆと略す）１０Ａ及び２０Ａが組み込まれている。尚、ＬＡＮケーブル１００には、例えばＣａｔ５Ｅストレートケーブル等を適用することができるが、好ましくはコネクタがＲＪ４５型のジャックで形成されているものを使用するとよい。これは一般的なＬＡＮで使用されるコネクタであり、これにより、ユーザが入手し易いケーブルを利用することができる。また、このネットワークＩ／Ｆ１０Ａ，２０Ａは、ＯＳＩ参照モデルにおけるネットワークインタフェース層を担うものでなく、３つの画像信号（ＲＧＢ：以下、何れでもよい場合は単に画像信号という），水平同期信号ＨＳＹＮＣ，垂直同期信号ＶＳＹＮＣ（以下、何れでも良い場合は単に同期信号という）及びキーボード／マウス４１から入力された信号（これを操作信号という）を送信又は受信できる構成であれば、如何なるものも適用することができる。
【００４１】
送信装置１０は、パーソナルコンピュータやワークステーションやその他の情報処理装置等で構成されたサーバ３０から画像信号（ＲＧＢ），水平同期信号及び垂直同期信号を入力するためのディスプレイコネクタとしてＶＧＡ（Ｖｉｄｅｏ  Ｇｒａｐｈｉｃｓ  Ａｒｒａｙ）コネクタ１０Ｂを有する。このＶＧＡコネクタ１０Ｂには例えばＢＮＣコネクタやＤ−ｓｕｂ１５ｐｉｎコネクタ等の一般的なコネクタを使用することができる。
【００４２】
また、送信装置１０は、受信装置２０を介して入力したキーボード／マウス４１の操作信号を同サーバ３０へ入力するためのキーボード／マウスコネクタ１０Ｃを有する。このキーボード／マウスコネクタ１０Ｃは、例えばＰＳ／２コネクタやＵＳＢ（Ｕｎｉｖｅｒｓａｌ  Ｓｅｒｉａｌ  Ｂｕｓ）コネクタやその他のシリアルコネクタ等、一般的なキーボード及びマウスの接続に使用されるコネクタを使用することができる。
【００４３】
尚、サーバ３０には、一般的な情報処理装置と同様に、画像信号（ＲＧＢ）を出力するためのＶＧＡコネクタ３０Ａと、キーボードやマウスから操作信号を入力するためのキーボード／マウスコネクタ３０Ｂとが設けられている。従って、送信装置１０の筐体表面に設けられたＶＧＡコネクタ１０Ｂは、例えばＢＮＣケーブルやＤ−ｓｕｂ１５ｐｉｎケーブル等を用いて構成したＲＧＢケーブル２００Ａを用いて、サーバ３０の筐体表面に設けられているＶＧＡコネクタ３０Ａに接続される。また同じく、送信装置１０の筐体表面に設けられたキーボード／マウスコネクタ１０Ｃは、例えばＰＳ／２ケーブルやＵＳＢケーブルやその他のシリアルケーブル等、一般的なキーボード及びマウスの接続に使用されるケーブル３００Ａを用いて、サーバ３０の筐体表面に設けられているキーボード／マウスコネクタ３０Ｂに接続される。
【００４４】
受信装置２０は、ディスプレイ４０へ画像信号（ＲＧＢ），水平同期信号及び垂直同期信号を出力するためのディスプレイコネクタとしてＶＧＡ（Ｖｉｄｅｏ  Ｇｒａｐｈｉｃｓ  Ａｒｒａｙ）コネクタ２０Ｂを有する。このＶＧＡコネクタ１０Ｂには例えばＢＮＣコネクタやＤ−ｓｕｂ１５ｐｉｎコネクタ等の一般的なコネクタを使用することができる。ＶＧＡコネクタ２０Ｂにはディスプレイ４０に設けられたＲＧＢケーブル２００Ｂが接続される。尚、ＲＧＢケーブル２００Ｂも例えばＢＮＣケーブルやＤ−ｓｕｂ１５ｐｉｎケーブル等を用いて構成されている。
【００４５】
また、受信装置２０は、キーボード／マウス４１から操作信号を入力するためのキーボード／マウスコネクタ２０Ｃを有する。このキーボード／マウスコネクタ２０Ｃも、例えばＰＳ／２コネクタやＵＳＢコネクタやその他のシリアルコネクタ等、一般的なキーボード及びマウスの接続に使用されるコネクタを使用することができる。キーボード／マウスコネクタ２０Ｃにはキーボード／マウス４１に設けられたケーブル３００Ｂが接続される。尚、ケーブル３００Ｂも例えばＰＳ／２ケーブルやＵＳＢケーブルやその他のシリアルケーブル等、一般的なキーボード及びマウスの接続に使用されるケーブル等を用いて構成されている。なお、図１に示す受信装置２０には、キーボード／マウス４１の操作情報を入力して、ＬＡＮケーブル１００に出力するドライバ回路が備えられている。同様に送信装置１０には、ＬＡＮケーブル１００を介して送信された操作情報を受信するレシーバなどが備えられ、受信した操作情報をケーブル３００Ａを介してサーバ３０に出力する。
【００４６】
次に、送信装置１０及び受信装置２０の内部構成について詳細に説明する。図２に示すように本実施例の送信装置１０は、ＰＬＬ（Ｐｈａｓｅ  Ｌｏｃｋｅｄ  Ｌｏｏｐ）回路１１と、セレクタ１２と、ドライバ１３と、ＭＰＵ（Ｍｉｃｒｏ  Ｐｒｏｃｅｓｓｉｎｇ  Ｕｎｉｔ）１４とを有している。
【００４７】
ＰＬＬ回路１１は、受信装置２０側で、ゲイン、周波数特性、信号遅延時間のずれを調整するための自動調整用信号を生成する。本実施例では、周波数特性を調整するために１４ＭＨｚと９０ＭＨｚの自動調整用信号が使用される。またゲイン調整用には１ＭＨｚの信号が使用される。なお、伝送ラインで生じるＲＧＢの画像信号の遅延時間の測定用には、１ＭＨｚ、１４ＭＨｚ、９０ＭＨｚのいずれの自動調整用信号を用いてもよい。
【００４８】
ＭＰＵ１４は、受信装置２０側のＭＰＵ２５の指示に従って、ＰＬＬ回路１１で生成した自動調整用信号のいずれかをドライバ１３によりＬＡＮケーブル１００に出力する。すなわち、セレクタ１２を制御して、ドライバ１３に出力する自動調整用信号を切り替える。またＭＰＵ１４は、ドライバ１３を制御して、画像信号又は自動調整用信号をＬＡＮケーブル１００に出力する。なお、送信装置１０側のＭＰＵ１４と、受信装置２０側のＭＰＵ２５とは、不図示の制御信号線で接続されている。
【００４９】
次に、受信装置２０の構成について説明する。図２に示すように受信装置２０は、レシーバ２１と、測定回路２２と、信号の伝送ライン上に設けられた遅延回路２３と、アンプ２４と、ＭＰＵ２５と、Ｄ／Ａコンバータ２６とを備えている。
【００５０】
レシーバ２１は、送信装置１０から送信された信号を受信すると共に、伝送された信号の周波数特性を調整するイコライザを備えている。また、レシーバ２１は、ゲイン制御端子と、周波数特性調整端子とを備えている。ゲイン制御端子に供給する電圧を変更することで、レシーバ２１のゲインを調整することができる。また、周波数特性調整端子に供給する電圧を変更することで周波数特性を調整することができる。これらの端子に供給する電圧は、ＭＰＵ２５の制御によってＤ／Ａコンバータ２６から供給される。
【００５１】
測定回路２２は、送信装置１０から送信された自動調整信号の減衰量を測定する電圧検知回路を備えている。また、伝送ラインで生じるＲＧＢの画像信号の遅延時間を測定するスキュー測定回路５０を備えている。スキュー測定回路５０の詳細については後述する。
【００５２】
遅延回路２３は、ＲＧＢの各伝送ラインの信号を、ＭＰＵ２５の制御に従って遅延させる。遅延回路２３による遅延後にスキューを調整した画像信号は、アンプ２４による増幅後にディスプレイ４０に表示される。
【００５３】
ＭＰＵ２５は、送信装置１０のＭＰＵ１４と通信を行なって、テストモード時に自動調整用信号をＬＡＮケーブル１００に出力するように要求する。また、測定回路２２で測定された自動調整用信号の減衰量に基づいて、レシーバ２１のゲインや、受信信号の周波数特性を調整する。またＭＰＵ２５は、測定回路２２で測定されたＲＧＢの各伝送ラインの信号遅延時間に従って、ＲＧＢの信号を遅延させる。
【００５４】
次に、本実施例のゲイン、周波数特性、スキューの調整方法を説明する。まず、ゲインの調整方法について説明する。ゲインの調整には、ＰＬＬ回路１１で生成される１ＭＨｚの自動調整用信号を用いる。送信装置１０は、１ＭＨｚの自動調整用信号を生成して、ドライバ１３によりＬＡＮケーブル１００内の伝送ラインに出力する。伝送ラインを伝送された信号は、測定回路２２内の電圧検知回路（不図示）に入力される。電圧検知回路は、Ａ／Ｄコンバータ等を具備しており、ＬＡＮケーブル１００内で減衰した自動調整用信号の電圧を検出する。自動調整用信号は、定電圧信号であって、電圧の減衰量を測定することでケーブル長を測定することができる。
【００５５】
ＭＰＵ２５には、図３に示すゲイン調整用テーブルが記録されており、自動調整用信号の減衰量から、ケーブル長を測定し、レシーバ２１のゲイン制御端子に供給する電圧を決定する。レシーバ２１のゲイン制御端子には、Ｄ／Ａコンバータ２６によって電圧が供給される。Ｄ／Ａコンバータ２６は、ＭＰＵ２５の制御に従って、設定された電圧をレシーバ２１のゲイン制御端子に供給する。これによってレシーバ２１のゲインが調整され、図４に示すように最適なゲインで信号を受信することができる。
【００５６】
なお、伝送ラインは、Ｒ，Ｇ，Ｂの画像信号ごとに設けられているので、ゲインの調整は、Ｒ，Ｇ，Ｂの伝送ラインごとに行なう。
【００５７】
次に、周波数特性の調整について説明する。周波数特性の調整には、１４ＭＨｚと９０ＭＨｚの自動調整用信号を用いる。これらの自動調整用信号を、送信装置１０のドライバ１３からＬＡＮケーブル１００に出力する。受信装置２０は受信した自動調整用信号の電圧を測定回路２２内のＡ／Ｄコンバータ（不図示）によって測定する。これによりＬＡＮケーブル１００での減衰量が測定される。
【００５８】
ＭＰＵ２５には、図５に示す周波数特性調整用テーブルが記録されており、自動調整用信号（１４ＭＨｚと９０ＭＨｚ）の減衰量から高周波側と低周波側の周波数特性の補正値を決定する。また減衰量の測定は、Ｒ，Ｇ，Ｂの各伝送ラインで行なわれ、各伝送ラインでの測定結果の平均値を用いて補正値を決定する。また、周波数特性の調整に使用する１４ＭＨｚと９０ＭＨｚの自動調整用信号の減衰量の差が最小になるように補正値を決定してもよい。
【００５９】
ＭＰＵ２５は、図５に示す周波数特性調整用テーブルを参照して、レシーバ２１の周波数特性調整端子に供給する電圧を決定する。レシーバ２１の周波数特性調整端子には、Ｄ／Ａコンバータ２６によって電圧が供給される。Ｄ／Ａコンバータ２６は、ＭＰＵ２５の制御に従って、設定された電圧をレシーバ２１の周波数特性調整端子に供給する。これによってイコライザが調整され、図６に示すように受信信号の周波数特性が改善される。
【００６０】
次に、スキュー（遅延時間）の調整について説明する。まず、図７を参照しながらＲ，Ｇ，Ｂの画像信号のスキューを測定するスキュー測定回路５０の構成を説明する。測定回路２２には、スキューを測定するスキュー測定回路５０が設けられている。スキュー測定回路５０は、図７に示すように入力信号を増幅するアンプ５１と、対象とする信号の極性を検出する極性検出部５２と、積分器５３と、オペアンプ５９とを備えている。
【００６１】
極性検出部５２は、Ｒ，Ｇ，Ｂの画像信号のうちのいずれか２つを入力する。すなわち、ＲとＧ，ＧとＲ，ＲとＢ，ＢとＧの画像信号を入力する極性検出部５２が設けられている。これを予め設定された閾値電圧と比較して、両信号の電圧に差があると判定した場合に検出信号を出力する。また極性検出部５２は、検出信号を出力してから一定時間経過後に放電信号を出力して、後述するコンデンサ５８に蓄えられた電荷を放電する。
【００６２】
図８を参照しながら積分器５３の動作を説明する。例えば、ＲとＧの画像信号を入力する極性検出部５２は、ＲとＧの画像信号の電圧に差ができると、極性が変化したことを示す検出信号を出力し、積分器５３のスイッチ５５をオンさせる。図８（Ａ）と（Ｂ）に示すようにＲとＧの到達時間に差ができると、図８（Ｃ）に示すようにこの時間差分だけハイレベルの検出信号が極性検出部５２から出力される。
【００６３】
検出信号がハイレベルに遷移するとスイッチ５５がオンし、抵抗５４とコンデンサ５８とを含む積分器５３のコンデンサ５８に電荷が蓄積される（図８（Ｄ）参照）。従って、ＲとＧの画像信号の到達時間差に応じた時間、積分器５３で積分が行なわれる。積分器５３の出力は、オペアンプ５９（インピーダンス変換用）を介してＡＤ変換器６０で検出され、ＭＰＵ２５に通知される。またコンデンサ５８に蓄積された電荷は、極性検出部２５からの放電信号によって所定時間後に放電される。
【００６４】
次に、図９を参照しながら遅延回路２３の構成及び動作について説明する。ＭＰＵ２５は、スキュー測定回路５０によって測定したスキュー量に従って、遅延回路２３で信号を遅延させる。図９に示す遅延回路２３は、Ｒ，Ｇ，Ｂの各信号線に設けられており、ＭＰＵ２５からの指示に従って、信号を遅延させる。
【００６５】
遅延回路２３は、図９に示すように信号線７０上に設けられた複数の遅延素子７１、７２、７３と、これらの遅延素子７１、７２、７３を介さずに信号を出力するための迂回路の切り替えを行なうスイッチ７４、７５、７６とを有している。本実施例では、１ｎｓ，２ｎｓ，５ｎｓの遅延素子が設けられているが、これに限定されるものではなく、変更することができる。
【００６６】
ＭＰＵ２５は、基準となる伝送ラインを予め設定し、この伝送ラインの信号に対して他の伝送ラインの信号を±５ｎｓ、±１０ｎｓ程度のディレイが生じるように調整する（図１０参照）。例えば、基準となる伝送ラインの信号に対して、５ｎｓだけ遅延させる場合には、スイッチ７４と７５とをオンすることで、５ｎｓの遅延素子だけを通過して信号が出力される。また、基準となる伝送ラインの信号を１０ｎｓ遅延させ、その他の伝送ラインの信号を５ｎｓ遅延させれば、基準ラインの信号よりも他の伝送ラインの信号を早く出力することができる。このようにスキュー測定回路５０で測定された遅延時間に応じて、ＭＰＵ２５がスイッチ７４、７５、７６のオン／オフを制御することで、所定時間だけ遅延させた信号を出力することができる。
【００６７】
このようにして、Ｒ，Ｇ，Ｂの伝送ラインの信号間に生じるスキューを測定して、信号間の到着時間のずれを補正することで、図１１に示すようにＲ，Ｇ，Ｂの信号のずれを補正することができ、色ずれなどの生じない高画質な画像をディスプレイ４０に表示することができる。
【００６８】
次に、図１２に示すフローチャートを参照しながらテストモード時の動作手順を説明する。図１に示すキーボード／マウス４１又はスイッチの設定によってテストモードに設定されると、受信装置２０のＭＰＵ２５は、送信装置１０のＭＰＵ１４にテストモードを通知し、自動調整用信号の送信を要求する。送信装置１０のＭＰＵ１４は、ＭＰＵ２５によって指定された周波数の自動調整用信号をドライバ１３によりＬＡＮケーブル１００に出力する。受信装置２０のＭＰＵ２５は、自動調整用信号をレシーバ２１で受信し、測定回路２２でこの信号の減衰量を測定する。ＭＰＵ２５は、測定された減衰量によりＬＡＮケーブル１００のケーブル長を求め、レシーバ２１のゲインを調整する（ステップ２）。ゲインの調整は、図３に示すゲイン調整用テーブルを参照して行なわれる。ＭＰＵ２５は、自動調整用信号の減衰量からレシーバ２１のゲイン制御端子に供給する電圧を求め、Ｄ／Ａコンバータ２６で該当する電圧を供給する。ゲインの調整は、Ｒ，Ｇ，Ｂの各伝送ラインごとに行なわれる。
【００６９】
ゲインの調整が終了すると（ステップ１／ＹＥＳ）、周波数特性の調整を行う（ステップＳ３）。周波数特性の調整用の信号を送信装置１０から送信して、この信号の減衰量を受信装置２０の測定回路２２で測定する。本実施例では、信号の周波数特性を測定するために１４ＭＨｚと９０ＭＨｚの信号が使用される。ＭＰＵ２５は、測定された減衰量によりＬＡＮケーブル１００のケーブル長を求め、受信信号の周波数特性を補正する（ステップＳ３）。周波数特性の調整は、図５に示す周波数特性調整用テーブルを参照して行なわれる。ＭＰＵ２５は、自動調整用信号の減衰量からレシーバ２１の周波数特性制御端子に供給する電圧を求め、Ｄ／Ａコンバータ２６で該当する電圧を供給する（ステップＳ４）。周波数特性の調整は、Ｒ，Ｇ，Ｂの各伝送ラインで測定した減衰量の平均値を求め、該当する補正値を周波数特性調整用テーブルから求める。
【００７０】
周波数特性の調整が終了すると、調整した周波数特性の調整量は、所定値よりも大きいか否かを判定する（ステップＳ５）。周波数特性の調整量が所定値よりも大きい場合には（ステップＳ５／ＹＥＳ）、この調整によってゲインの調整量もずれたと判定し、ゲイン調整から再度行なう（ステップＳ１）。また周波数特性の調整量が、所定値よりも小さくなると（ステップＳ５）、周波数特性の調整が終了と判定し（ステップＳ３）。スキュー調整を行なう（ステップＳ７）。
【００７１】
スキューの調整（ステップＳ７）では、自動調整用信号をＲ，Ｇ，Ｂの各伝送ラインに出力して、受信装置２０で各伝送ラインの信号遅延時間を測定する。測定した遅延時間に合わせて、対応する伝送ラインの信号を遅延させて出力側に出力する。スキューの調整が終了すると（ステップＳ６／ＹＥＳ）、テストモードを終了する。
【００７２】
次に、図１３に示すフローチャートを参照しながら手動調整モードの手順を説明する。この手動調整モードでは、ディスプレイ４０に調整用の画像を表示しながらユーザの操作入力によって、ゲインと周波数特性の調整用テーブルの書き換えを行なう。ユーザによってゲイン変更の指示が入力されると（ステップＳ１１／ＹＥＳ）、この入力に応じてゲイン調整用テーブルの設定値をアップさせるか（ステップＳ１２）、ダウンさせるか（ステップＳ１３）を判定し、判定結果に応じて調整テーブルを書き換える（ステップＳ１４）。同様に、周波数特性の変更の指示が入力されると（ステップＳ１５／ＹＥＳ）、この入力に応じて周波数特性調整用テーブルの設定値をアップさせるか（ステップＳ１２）、ダウンさせるか（ステップＳ１３）を判定する。この判定結果に応じて調整テーブルの値を書き換える（ステップＳ１４）。
【００７３】
このように本実施例は、ゲイン、周波数特性、スキューを自動で調整可能であると共に、手動によっても調整できるので、ユーザの好みに合わせた画質調整を行なうことができる。
【００７４】
図１４に、基板上に設けた半導体チップにより受信装置２０又は送信装置１０を構成した図を示す。図１４に示すようにＲ，Ｇ，Ｂの信号配線を所定幅（例えば、０．５ｍｍ又は０．８ｍｍ）で基板上に配線する。この時、Ｒ，Ｇ，Ｂの信号配線は、途中でパターン幅が変わらないように配線する。また、グランドパターンとのギャップ（本実施例では０．３ｍｍ以上）も均一となるように形成する。このようなパターンで形成することで、信号の反射を防ぎ、より高い解像度の画像をディスプレイ４０に表示させることができる。
【実施例２】
【００７５】
添付図面を参照しながら本発明の第２実施例を説明する。本実施例は、図１５に示すように送信装置１０と受信装置２０との間に複数の中継器８０を設け、信号の伝送距離を伸ばしている。送信装置１０から出力される信号は伝送距離に応じて劣化する。このため、中継器８０を設けて劣化した信号を復元し、次の中継器８０又は受信装置２０に出力する。伝送信号の劣化を中継器８０で補正しながら受信装置２０に送信するので、受信装置側で劣化の少ない最適な信号を受信することができる。なお、中継器８０には、ディスプレイ４０、キーボード／マウス４１が接続されている。サーバ３０から送信された画像信号を中継器８０で受信し、表示することができる。またキーボード／マウス４１の操作により、中継器８０でサーバ３０を操作することもできる。このため中継器８０には、キーボード／マウス４１の操作情報を入力して、サーバ３０側のＬＡＮケーブル１００に出力するドライバ回路が備えられている。同様に送信装置１０には、ＬＡＮケーブル１００を介して送信された操作情報を受信するレシーバなどが備えられ、受信した操作情報をケーブル３００Ａを介してサーバ３０に出力する。
【００７６】
図１６に中継器８０の構成を示す。なお、図１６に示す中継器８０は、サーバ３０側からディスプレイ４０側への画像信号の送信に関わる部分だけを示し、キーボード／マウス４１からサーバ３０への信号送信に関わる部分については図示されていない。図１６に示すように中継器８０は、送信部（実施例１の送信装置１０に相当）１１０と、受信部（実施例１の受信装置２０に相当）１２０とを備えている。これらの機能部の詳細な説明は、上述した実施例１と同様であるため省略する。中継器８０は、ＭＰＵ１２５によって送信部１１０と、受信部１２０との双方を制御している。もちろん、送信部１１０と受信部１２０とを制御するＭＰＵを別々に設けてもよい。
【００７７】
図１７に送信装置１０の出力波形と、中継器８０の入力波形と、中継器８０の出力波形と、受信装置２０のレシーバ２１の入力波形と、受信装置２０で波形整形後の信号とを示す。送信装置１０からＬＡＮケーブル１００内に出力された信号は、送信距離が長くなるに連れて劣化が生じる。この波形の劣化を伝送経路の途中に設けた中継器８０で復元し、次の中継器８０又は受信装置２０に出力する。中継器８０は、上述したように信号のゲイン、周波数特性、スキューを補正する機能を備えているので、劣化した信号を元の信号に復元することができる。このようにして信号の伝送距離を伸ばすことができる。
【００７８】
また、図１６に示す中継器８０は、ＭＰＵ１２５によってゲイン、周波数特性、スキューの補正を自動的に行なっているが、例えば、図１８に示すように調整つまみ１３１を設けて、手動でゲインやスキュー等の調整を行なうようにしてもよい。測定回路１２２で自動調整用信号の電圧を検出すると、ＭＰＵ１２５は、検出した電圧を表示部（不図示）に表示する。ユーザは、表示部に表示された電圧の減衰量から調整つまみ１３１を調整して、最適な値に調整する。
【００７９】
次に、図１９に示すフローチャートを参照しながら中継器８０のテストモード時の動作手順を説明する。
まず、中継器８０の受信部１２０のテスト時には（ステップＳ２１／ＹＥＳ）、中継器８０のＭＰＵ１２５は、上流側の中継器８０又は送信装置１０にテストモードを通知し、自動調整用信号の送信を要求する。送信装置１０のＭＰＵ１４又は中継器８０のＭＰＵ１２５は、指定された周波数の自動調整用信号をドライバ１３、１１３によりＬＡＮケーブル１００に出力する。
【００８０】
中継器８０のＭＰＵ１２５は、自動調整用信号をレシーバ１２１で受信し、測定回路１２２でこの信号の減衰量を測定する。ＭＰＵ１２５は、測定された減衰量によりＬＡＮケーブル１００のケーブル長を求め、レシーバ１２１のゲインを調整する（ステップＳ２３）。ＭＰＵ１２５は、自動調整用信号の減衰量からレシーバ１２１のゲイン制御端子に供給する電圧を求め、Ｄ／Ａコンバータ１２６で該当する電圧を供給する。ゲインの調整は、Ｒ，Ｇ，Ｂの各伝送ラインごとに行なわれる。
【００８１】
ゲインの調整が終了すると（ステップ２２／ＹＥＳ）、周波数特性の調整を行う（ステップＳ２４）。周波数特性の調整用の信号を送信装置１０から送信して、この信号の減衰量を受信装置２０の測定回路２２で測定する。ＭＰＵ１２５は、測定された減衰量によりＬＡＮケーブル１００のケーブル長を求め、受信信号の周波数特性を補正する（ステップＳ２５）。周波数特性の調整は、Ｒ，Ｇ，Ｂの各伝送ラインで測定した減衰量の平均値を求め、該当する補正値を周波数特性調整用テーブルから求める。
【００８２】
周波数特性の調整が終了すると（ステップＳ２５）、調整した周波数特性の調整量は、所定値よりも大きいか否かを判定する（ステップＳ２６）。周波数特性の調整量が所定値よりも大きい場合には（ステップＳ２６／ＹＥＳ）、この調整によってゲインの調整量もずれたと判定し、ゲイン調整から再度行なう（ステップＳ２２）。また周波数特性の調整量が、所定値よりも小さくなると（ステップＳ２５／ＮＯ）、周波数特性の調整が終了と判定し（ステップＳ２４／ＹＥＳ）、スキュー調整を行なう（ステップＳ２７）。
【００８３】
スキューの調整（ステップＳ２７）では、自動調整用信号をＲ，Ｇ，Ｂの各伝送ラインに出力して、受信装置２０で各伝送ラインの信号遅延時間を測定する。測定した遅延時間に合わせて、対応する伝送ラインの信号を遅延させて出力側に出力する。スキューの調整が終了すると（ステップＳ２７／ＹＥＳ）、テストモードを終了する。
【００８４】
受信部１２０の調整が終了すると、後段の中継器８０又は受信装置２０のテストのために、この装置からの要求に従って所定周波数の自動調整用信号を出力する（ステップＳ２９）。所定周波数の自動調整用信号を使用して後段の装置のテストが行なわれる。
【００８５】
このように本実施例では、送信装置１０と受信装置２０との間に複数の中継器８０を設け、中継器８０が劣化した信号の復元処理を行なうことにより、信号の伝送距離を伸ばし、さらに遠隔からサーバ３０の操作が可能となる。
【００８６】
なお、図１６には図示していないが、中継器８０には、ＬＡＮケーブル１００の通信状態を監視して、通信に異常が生じると異常であることを表示するＬＥＤ等の表示部を設けても良い。また中継器８０が外部電源から電源の供給を受ける場合には、電源の状態を監視して電源に異常が生じるとＬＥＤを点灯させるようにしてもよい。
【００８７】
上述した実施例は本発明の好適な実施の例である。但し、これに限定されるものではなく、本発明の要旨を逸脱しない範囲内において種々変形実施可能である。例えば、上述した実施例では、ゲイン、周波数特性、スキューの３つを補正する遠隔ユニットを示したが、これらのうちの何れか１つまたは２つを調整するものであってもよい。また、上述した実施例２では中継器８０を２つ設けた構成を示したが、中継器８０の数はこれだけに限定されるものではない。信号の伝送距離に応じて適当な数の中継器８０を設けることができる。
【図面の簡単な説明】
【００８８】
【図１】遠隔システムの構成を示す構成図である。
【図２】送信装置１０と受信装置２０の構成を示す図である。
【図３】ゲイン調整用テーブルの構成を示す図である。
【図４】ゲイン調整を説明するための図である。
【図５】周波数特性調整用テーブルの構成を示す図である。
【図６】周波数特性の調整を説明するための図である。
【図７】スキュー測定回路の構成を示す図である。
【図８】スキュー測定回路の動作を説明するための信号波形図である。
【図９】遅延回路２３の構成を示す図である。
【図１０】基準となる伝送ラインと、他の伝送ラインの遅延設定を説明するための図である。
【図１１】スキュー補正前と補正後の信号を示す図である。
【図１２】テストモード時の動作手順を示すフローチャートである。
【図１３】手動調整時の動作手順を示すフローチャートである。
【図１４】基板上に搭載した半導体チップと信号パターンを示す図である。
【図１５】実施例２の構成を示す構成図である。
【図１６】中継器の構成を示すブロック図である。
【図１７】送信装置の信号出力波形と、中継器の入力、出力信号波形と、受信装置の信号入力波形を示す図である。
【図１８】中継器の他の構成を示すブロック図である。
【図１９】動作手順を示すフローチャートである。
【符号の説明】
【００８９】
１  遠隔システム                    １０  送信装置
１０Ａ  ネットワークＩ／Ｆ          １０Ｂ  ＶＧＡコネクタ
１０Ｃ  キーボード／マウスコネクタ
１１  ＰＬＬ回路                    １２  セレクタ
１３  ドライバ                      １４  ＭＰＵ
２０  受信装置                      ２０Ａ  ネットワークＩ／Ｆ
２０Ｂ  ＶＧＡコネクタ
２０Ｃ  キーボード／マウスコネクタ
２１、１２１  レシーバ              ２２、１２２  測定回路
２３、１２３  遅延回路              ２４  アンプ
２５、１２５  ＭＰＵ                ２６、１２６  Ｄ／Ａコンバータ
３０  サーバ                        ３０Ａ  ＶＧＡコネクタ
３０Ｂ  キーボード／マウスコネクタ  ４０  ディスプレイ
４１  キーボード／マウス
５０  スキュー測定回路              ５１  アンプ
５２  極性検出部                    ５３  積分器
５４、５６  抵抗                    ５５、５７  スイッチ
５８  コンデンサ                    ５９  オペアンプ
６０  Ａ／Ｄ変換器                  ８０  中継器
１３１  調整つまみ
【図１】
2006180443.tif 000003
【図２】
2006180443.tif 000004
【図３】
2006180443.tif 000005
【図４】
2006180443.tif 000006
【図５】
2006180443.tif 000007
【図６】
2006180443.tif 000008
【図７】
2006180443.tif 000009
【図８】
2006180443.tif 000010
【図９】
2006180443.tif 000011
【図１０】
2006180443.tif 000012
【図１１】
2006180443.tif 000013
【図１２】
2006180443.tif 000014
【図１３】
2006180443.tif 000015
【図１４】
2006180443.tif 000016
【図１５】
2006180443.tif 000017
【図１６】
2006180443.tif 000018
【図１７】
2006180443.tif 000019
【図１８】
2006180443.tif 000020
【図１９】
2006180443.tif 000021